(57)【特許請求の範囲】
【請求項１】
音響抵抗材で内側が覆われた音響抵抗孔をその周側面に備えた適宜長さの導電性金属材からなる音響管と、前部音響端子と後部音響端子とを備えてユニットケース内に収容しない剥き出し状態のもとでコンデンサマイクロホン機能を発揮させる内蔵ユニットと、該内蔵ユニットを前記前部音響端子側から直に包むように覆う断面略コ字形を呈して通気性を有するメッシュ状弾性金属材からなる導電性介装材とで構成され、
前記音響管は、前記導電性介装材で覆われた前記内蔵ユニットの外径よりもその内径を小さくして形成される段差部をその基端部側の内周面に備え、
前記内蔵ユニットは、前記導電性介装材ともども前記音響管の基端開口から前記段差部と当接する位置にまで送り込むことで、その径方向を前記ユニットケースの肉厚分短寸化させた前記音響管に対し偏心させることなく前記前部音響端子と前記後部音響端子との間の圧力差を均衡させて一体化させたことを特徴とする狭指向性コンデンサマイクロホン。
【請求項２】
前記導電性介装材は、前記前部音響端子との対面側に向かってその周壁部がやや縮径されるテーパーが付された有底筒状を呈するようにして形成された請求項１に記載の狭指向性コンデンサマイクロホン。
【発明の詳細な説明】
【技術分野】
【０００１】
本発明は、音響管の径方向での短寸化を実現しつつ、ハムノイズや高周波電流の入り込みを困難にして雑音の発生を抑制することができるようにした狭指向性コンデンサマイクロホンに関する技術である。
【背景技術】
【０００２】
直径の小さな狭指向性コンデンサマイクロホンにおいては、その外筐が音響管で構成されている。また、該音響管がその周側面に備える音響抵抗孔を塞ぐ音響抵抗材は、外観を損ねることのないように、例えば下記特許文献１に開示されているように音響管の内側面側に取り付けられることになる。
【特許文献１】実開平５−３４７９４号公報
【０００３】
この場合、前部音響端子と後部音響端子とを有するマイクロホンユニットは、音響管内の内径よりもその外径が小さいため、音響管内に収納した際に該音響管との間に空隙を確保することができるが、両者を接着剤を用いて固定する際に該空隙が塞がれてしまうことになる。
【０００４】
また、マイクロホンユニットを接着剤で音響管に固定する場合には、マイクロホンユニットと音響管との間の電気的な接続状態が不安定になって十分なシールドがとれなくなくなってハムノイズや高周波電流が入り込んで雑音を発生させやすくなる。
【０００５】
このため、本願出願人は、このような場合にハムノイズや高周波電流の入り込みを困難にして雑音の発生を抑制することができるように、下記特許文献２に開示されている狭指向性コンデンサマイクロホンを提案している。
【特許文献１】特開２００６−８１０７５号公報
【０００６】
図５は、上記特許文献２に開示されている狭指向性コンデンサマイクロホンの外観例についての側面図を、図６は、音響管とマイクロホンユニットとを分離させた状態での縦端面図を、図７は、図５の縦端面図を、図８は、図７における円形囲繞部位の拡大図をそれぞれ示す。
【０００７】
これらの図によれば、狭指向性コンデンサマイクロホンは、その内側面が音響抵抗材３で塞がれた音響抵抗孔２を周側面に備える音響管１と、内蔵ユニット部品８をユニットケース７内に収容して形成されるマイクロホンユニット６とで構成されている。
【０００８】
また、音響管１は、その基端部４側に位置する部位の内周面５の内径をその他の部位の内径よりも拡径できるように薄肉化することでその境界部位に段差部５ａが形成されている。
【０００９】
そして、マイクロホンユニット６は、図６に示すようにその前部音響端子６ａ側を覆うようにして介在配置される断面略コ字形を呈する導電性介装材９とともに音響管１の段差部５ａに当接する位置にまで送り込まれ、図７に示すように音響管１側と一体化されることになる。
【００１０】
このようにして形成されるラインマイクロホンと称される狭指向性コンデンサマイクロホンは、音響管１とマイクロホンユニット６との間に導電性介装材９を介在させて相互間の電気的な導通状態を確実なものとすることができるので、ハムノイズや高周波電流の入り込みを困難にして雑音の発生を抑制することができることになる。
【発明の開示】
【発明が解決しようとする課題】
【００１１】
ところで、ラインマイクロホンと称される狭指向性コンデンサマイクロホンには、直径の小さな狭指向性を実現するために、径方向での寸法をより短寸化したいとする要請もある。
【００１２】
しかし、上記特許文献２に開示されている狭指向性コンデンサマイクロホン（図５〜図８参照）による場合には、音響管１とマイクロホンユニット６との間に導電性介装材９を介在させることから、該導電性介装材９を介在させた分だけ径方向での寸法が大きくなり、上記要請に対応できなくなる不都合があった。
【００１３】
本発明は、従来技術の上記課題に鑑み、音響管の径方向での寸法をより短寸化するなかで、ハムノイズや高周波電流の入り込みをなくすことによる雑音発生の抑制や、空洞共振の発生の抑制のほか、風雑音を小さくしたり内蔵ユニットの偏心をなくすこともできる狭指向性コンデンサマイクロホンを提供することに目的がある。
【課題を解決するための手段】
【００１４】
本発明は、上記目的を達成すべくなされたものであり、音響抵抗材で内側が覆われた音響抵抗孔をその周側面に備えた適宜長さの導電性金属材からなる音響管と、前部音響端子と後部音響端子とを備えてユニットケースを不要とした剥き出し状態のもとでコンデンサマイクロホン機能を発揮させる内蔵ユニットと、該内蔵ユニットを前記前部音響端子側から直に包むように覆う断面略コ字形を呈して通気性を有するメッシュ状弾性金属材からなる導電性介装材とで構成され、前記音響管は、前記導電性介装材で覆われた前記内蔵ユニットの外径よりもその内径を小さくして形成される段差部をその基端部側の内周面に備え、前記内蔵ユニットは、前記導電性介装材ともども前記音響管の基端開口から前記段差部と当接する位置にまで送り込むことで、その径方向を前記ユニットケースの肉厚分短寸化させた前記音響管に対し偏心させることなく前記前部音響端子と前記後部音響端子との間の圧力差を均衡させて一体化させたことを最も主要な特徴とする。
【００１５】
本発明における前記導電性介装材は、前記前部音響端子との対面側に向かってその周壁部がやや縮径されるテーパーが付された有底筒状を呈するようにして形成するのが好ましい。
【発明の効果】
【００１６】
本発明のうち、請求項１に係る発明によれば、音響管の基端部内に前部音響端子側から導電性介装材で直に包むように覆った内蔵ユニットを送り込んで音響管側と一体化させることで、内蔵ユニットをユニットケース内に収容することなく配置することができるので、該ユニットケースを不要にした分だけ径方向での寸法を短寸化することができる。
【００１７】
しかも、音響管と内蔵ユニットとの間には、導電性介装材を介在させてあるので、音響管と内蔵ユニットとの間の電気的な導通状態を確実なものとすることができ、ハムノイズや高周波電流の入り込みを困難にして雑音の発生を抑制することができる。
【００１８】
また、導電性介装材は、通気性を有するメッシュ状弾性金属材を用いて形成されているので、空洞共振の発生を抑制しつつ、音響管と内蔵ユニットとの間に実質的な通気部を確保することができることになり、前部音響端子と後部音響端子との間の圧力差を均衡させて風雑音の発生を低減させることができる。
【００１９】
さらに、内蔵ユニットは、導電性介装材を介して音響管側との間に空隙を介在させることなく密に弾性接触させながら、偏心させることなく配置することができる。
【００２０】
また、請求項２に係る発明によれば、導電性介装材が前部音響端子との対面側に向かってその周壁部がやや縮径されるテーパーが付された有底筒状を呈して形成されているので、音響管の基端部内に位置する段差部に向けて圧入するようにして配置することで、内蔵ユニットと音響管とをより確実に電気的に接続させた状態のもとで位置固定することができる。
【発明を実施するための最良の形態】
【００２１】
図１は、本発明の外観例についての側面図を、図２は、音響管と内蔵ユニットと導電性介装材とを相互に分離した状態での説明図を、図３は、図１の縦断面図を、図４は、図３における円形囲繞部位の拡大図をそれぞれ示す。
【００２２】
これらの図によれば、狭指向性コンデンサマイクロホン１１は、図１および図３からも明らかなように音響抵抗材１７で内側が覆われた音響抵抗孔１６をその周側面１２ａに備えた適宜長さの導電性金属材からなる音響管１２と、前部音響端子２３と後部音響端子２４とを備えてコンデンサマイクロホン機能を発揮させための所要部品で構成された内蔵ユニット２２と、該内蔵ユニット２２を前部音響端子２３側から直に包むように覆う断面略コ字形を呈して通気性を有するメッシュ状弾性金属材からなる導電性介装材３２とで構成されている。
【００２３】
このうち、略円筒形状を呈する音響管１１は、収容される内蔵ユニット２２側の外径との関係で定まる適宜の内径を有するアルミニウム管材等の導電性の金属管材を用いて形成されている。
【００２４】
しかも、音響管１２は、導電性介装材３２で覆われた内蔵ユニット２２の外径よりもその内径を小さくして、すなわち内側の肉厚を他の部位よりも薄くすることで形成される段差部１５をその基端部１３側の内周面１４に備えている。なお、図中の符号１９は、図示しないグリップ側と螺合連結させるための雌ねじ部を示す。
【００２５】
また、ユニットケース内に収容されることなく剥き出し状に形成される内蔵ユニット２２は、コンデンサマイクロホン機能を発揮させために必要な所要の部品を所定の手順で組み合わせて形成されるものであり、その前端側には前部音響端子２３が、後端側には後部音響端子２４がそれぞれ配置されている。
【００２６】
一方、導電性介装材３２は、メッシュ状弾性金属材、例えばφ０．１ｍｍで＃１００のステンレスメッシュを絞り加工することで、内蔵ユニット２２における前部音響端子２３が位置する面とその周面部位（後部音響端子２４側を除く）を密に覆うことができる形状が付与されて形成されている。
【００２７】
これを具体的に説明すれば、導電性介装材３２は、図示例のように前部音響端子２３側と対面する底部３３方向に向けてその周壁部３４がやや縮径されるテーパーが付された有底筒状を呈するように例えば絞り加工を施すなどして形成されている。なお、導電性介装材３２は、図示例のようにテーパーを付すことなく周壁部３４の全体を同径に形成するものであってもよい。
【００２８】
この場合、導電性介装材３２は、その底部３３側の内径が内蔵ユニット２２の前部音響端子２３が位置する面の外径と略一致する程度の寸法を備えている。また、音響管１２がその基端部１３側の内周面１４に備える段差部１５は、導電性介装材３２をその底部３３を介して当接・掛止させることができる程度の内径が付与されて形成されている。
【００２９】
上記構成からなる音響管１２と内蔵ユニット２２と導電性介装材３２とは、例えば次のようにして組み立てられる。すなわち、図２に示されているように導電性介装材３２の開口３５側には、内蔵ユニット１２における前部音響端子２３側を対面させ、該前部音響端子２３を導電性介装材３２の底部３３との当接位置にまで送り込む。
【００３０】
このようにして内蔵ユニット２２と導電性介装材３２とを組み合わせた後は、導電性介装材３２の底部３３を音響管１２の基端開口１８に向けた状態のもとで基端部１４内に内蔵ユニット２２ともども送り込む。
【００３１】
この際、内蔵ユニット２２を直に包むように覆う導電性介装材３２は、その底部３３を介して音響管１２の基端部１３側の内周面１４に設けられている段差部１５に前方音響端子２３側とともに安定的に当接支持されることになる。
【００３２】
しかも、音響管１２の基端部１３側の内周面１４と内蔵ユニット２２の前部音響端子２３を含む外周側との間には、メッシュ状弾性金属材からなる導電性介装材３２が通気性を伴って密に介在配置されることになる。また、テーパーが付された導電性介装材３２を用いる場合には、より密着させた状態のもとで音響管１２の基端部１３側の内周面１４と内蔵ユニット２２との間に介在させることができる。
【００３３】
したがって、内蔵ユニット２２は、偏心させることなく音響管１２の基端部１３内に配置することができるほか、音響管１２との電気的な導通状態を確実なものとすることができるので、ハムノイズや高周波電流の入り込みを困難にして雑音の発生を抑制することができる。
【００３４】
さらに、導電性介装材３２は、通気性を有するメッシュ状弾性金属材を用いて形成されているので、空洞共振の発生を抑制しつつ、音響管１２と内蔵ユニット２２との間に実質的な通気部を確保することができることになり、前部音響端子２３と後部音響端子２４との間の圧力差を均衡させて風雑音の発生を低減させることができる。
【００３５】
しかも、本発明によれば、音響管１２の基端部１３内に前部音響端子２３側から導電性介装材３２で直に包むように覆った内蔵ユニット２２を前部音響端子２３側を頭にして送り込んで音響管１２側と一体化させることで、内蔵ユニット２２をユニットケース内に収容することなく配置することができるので、該ユニットケースを不要にした分だけ径方向での寸法を短寸化することができる。つまり、音響管１２は、より細径化させて使用することができることになる。
【図面の簡単な説明】
【００３６】
【図１】本発明の外観構成例を示す側面図。
【図２】音響管と内蔵ユニットと導電性介装材とを相互に分離させた状態での端面構造を示す説明図。図１の縦断面図。
【図３】図１の縦端面図。
【図４】図３における円形囲繞部位の拡大詳細図。
【図５】従来からある狭指向性コンデンサマイクロホンの外観構成例を示す側面図。
【図６】図５に示す例を音響管とマイクロホンユニットと導電性介装材とを相互に分離させた状態での端面構造を示す説明図。
【図７】図５の縦端面図。
【図８】図７における円形囲繞部位の拡大詳細図。
【符号の説明】
【００３７】
１１  狭指向性コンデンサマイクロホン
１２  音響管
１２ａ  周側面
１３  基端部
１４  内周面
１５  段差部
１６  音響抵抗孔
１７  音響抵抗材
１８  基端開口
１９  雌ねじ部
２２  内蔵ユニット
２３  前部音響端子
２４  後部音響端子
３２  導電性介装材
３３  底部
３４  周壁部
３５  開口
【図１】
0005129605.tif 000002
【図２】
0005129605.tif 000003
【図３】
0005129605.tif 000004
【図４】
0005129605.tif 000005
【図５】
0005129605.tif 000006
【図６】
0005129605.tif 000007
【図７】
0005129605.tif 000008
【図８】
0005129605.tif 000009